(57)【要約】      （修正有）【課題】携帯型通信端末から大型表示パネルに映像情報および音声情報を発信して、大型表示パネルが受信し互いに画面タッチ情報を受信し発信するシステムを提供する。【解決手段】タッチパネル機能付き携帯型通信端末およびタッチパネル機能付き大型表示パネルの組合せシステムであって、端末には、端末の音声情報および映像情報を電波信号として発信するための発信機能を有し、パネルには、端末の音声情報および映像情報を電波信号として受信するための受信機能を有する。端末Ａには、パネルＢの画面タッチ情報を電波信号として受信する受信機能を有する。パネルには、そのパネルの画面タッチ情報を電波信号として発信する発信機能を有し、端末の画面タッチ情報を電波信号として受信する受信機能を有する。端末には、その端末の画面タッチ情報を電波信号として発信するための発信機能を有する。【選択図】なし【特許請求の範囲】
【請求項１】
タッチパネル機能付き携帯型通信端末［Ａ］およびタッチパネル機能付き大型表示
パネル［Ｂ］の組合せシステムであって、このシステムは
（１）前記端末［Ａ］には、前記端末［Ａ］の音声情報および映像情報を電波信号と
して発信するための発信機能を有し、
（２）前記パネル［Ｂ］には、前記端末［Ａ］の音声情報および映像情報を電波信号
として受信するための受信機能を有し、
（３）前記端末［Ａ］には、前記パネル［Ｂ］の画面タッチ情報を電波信号として受
信する受信機能を有し、
（４）前記パネル［Ｂ］には、そのパネル［Ｂ］の画面タッチ情報を電波信号として
発信する発信機能を有し、
（５）前記パネル［Ｂ］には、前記端末［Ａ］の画面タッチ情報を電波信号として受
信する受信機能を有し、かつ
（６）前記端末［Ａ］には、その端末［Ａ］の画面タッチ情報を電波信号として発信
するための発信機能を有することを特徴とする前記端末［Ａ］および前記パネル
［Ｂ］の組合せシステム。
【請求項２】
前記パネル［Ｂ］は、その表示パネルにその画面タッチ情報を電波信号として発信
し、かつ前記端末［Ａ］の画面タッチ情報を電波信号として受信する機能を搭載した
ものである請求項１記載のシステム。
【請求項３】
前記端末［Ａ］は、その画面タッチ情報を電波信号として発信し、かつ前記パネル
［Ｂ］の画面タッチ情報を電波信号として受信する機能を搭載したものである請求項
１記載のシステム。
【請求項４】
前記画面タッチ情報の電波信号は、２．４ＧＨｚ帯域の信号である請求項１記載の
システム。
【発明の詳細な説明】
【技術分野】
【０００１】
本発明は、携帯型通信端末と大型表示パネルとを、携帯型通信端末から大型表示
パネルに音声情報および映像情報を発信し、および互いに画面タッチ情報を受信お
よび発信しうるシステムに関する。
【背景技術】
【０００２】
携帯型通信端末（通称“スマートフォン”）は、通信機能のみならず、映像情報
およびゲーム機能が具備され、大変多くの人々が利用している。
この携帯型通信端末は、小型であり持ち運びが容易であり、利便性に優れてい
る。しかしこの携帯型通信端末は、個人が所有し、利用するものであり、画像の表
示面積が小さく複数の人が画像を共有して利用するには適してはいない。
そこで携帯型通信端末と大型表示パネルとを有線ケーブルで接続して、携帯型通
信端末の音声情報および映像情報を大型表示パネルに発信し、多数の人々が大型表
示パネルを共有するシステムが提案されている。このシステムは、携帯型通信端末
の音声および映像の情報を、大型表示パネルを介して多くの人々が共有する一方向
性のものである。
これに対して携帯型通信端末側（以下“端末側”と称する）から大型表示パネル
側（以下“パネル側”と称する）へ表示画像を介して画像の強調ポイントを指摘し
たり、或いは特定の領域に文字や図形を書き込むことが要求されることが度々生じ
る。また同様の要求がパネル側から端末側へ生じることもある。
【発明の開示】
【発明が解決しようとする課題】
【０００３】
前述した要求を達成するためには、下記の要件を満たすことが必要となる。
（ａ）端末側およびパネル側のいずれの表示画面の表面はタッチパネル機能を有
すること、
（ｂ）表示画面の表面をタッチした場合、そのポイントの指摘や特定領域への文
字や図形の書き込みを端末側からパネル側へ、またはパネル側から端末側へ
発信し受信する機能を有すること、
前述した（ａ）および（ｂ）の機能（この機能を以下“画面タッチ表示機能”と
称する）が端末側およびパネル側の双方から電波信号として発信および受信するこ
とができ、かつ端末側からパネル側へ、音声情報および映像情報を電波信号として
発信しパネル側で受信することができれば音声情報および映像情報のみならず、さ
らに多岐の機能を有するシステムが得られることを見出し本発明に到達した。
【課題を解決するための手段】
【０００４】
かくして本発明によれば、下記［Ｉ］〜［IV］の組合せシステムが提供される。
［Ｉ］タッチパネル機能付き携帯型通信端末［Ａ］およびタッチパネル機能付き大
型表示パネル［Ｂ］の組合せシステムであって、このシステムは
（１）前記端末［Ａ］には、前記端末［Ａ］の音声情報および映像情報を電波信
号として発信するための発信機能を有し、
（２）前記パネル［Ｂ］には、前記端末［Ａ］の音声情報および映像情報を電波
信号として受信するための受信機能を有し、
（３）前記端末［Ａ］には、前記パネル［Ｂ］の画面タッチ情報を電波信号とし
て受信する受信機能を有し、
（４）前記パネル［Ｂ］には、そのパネル［Ｂ］の画面タッチ情報を電波信号と
して発信する発信機能を有し、
（５）前記パネル［Ｂ］には、前記端末［Ａ］の画面タッチ情報を電波信号とし
て受信する受信機能を有し、かつ
（６）前記端末［Ａ］には、その端末［Ａ］の画面タッチ情報を電波信号として
発信するための発信機能を有することを特徴とする前記端末［Ａ］および前
記パネル［Ｂ］の組合せシステム。
［II］前記パネル［Ｂ］は、その画面タッチ情報を電波信号として発信し、かつ前
記端末［Ａ］の画面タッチ情報を電波信号として受信する機能を搭載したもの
である前記［Ｉ］記載のシステム。
［III］前記端末［Ａ］は、その画面タッチ情報を電波信号として発信し、かつ前
記パネル［Ｂ］の画面タッチ情報を電波信号として受信する機能を搭載したも
のである前記［Ｉ］記載のシステム。
［IV］前記画面タッチ情報の電波信号は、２．４ＧＨｚ帯域の信号である前記
［Ｉ］記載のシステム。
【発明の効果】
【０００５】
本発明によれば、個人が所有して利用している携帯型通信端末（通称“スマート
フォン”）の音声情報および映像情報を、大型表示パネルに電波信号として発信し
て大型表示パネルで受信すると共に、携帯型通信端末の画面タッチ情報と大型表示
パネルの画面タッチ情報を互いに電波信号として発信および受信することにより、
大型表示パネルの画面に表示できるシステムが提供できる。かくして本発明のシス
テムによれば、個人の携帯型通信端末の情報が大型表示パネルに受信できるので、
多数の人が大型表示パネルにより音声情報および映像情報と共に画面タッチ情報
も共有して利用できるという利便性が達成される。
【発明を実施するための形態】
【０００６】
本発明における携帯型通信端末［Ａ］は、通常個人が所有し、使用するものであ
り、通称“スマートフォン”と称されているものである。この通信端末は、個人が
携帯して使用しているものであり、小型で軽量であり、画面の大きさは通常４〜
１０インチのものであり、タブレット端末と称されているものも含まれる。
本発明における携帯型通信端末［Ａ］は、その画面にタッチパネル機能を有して
いる。このタッチパネル機能とは、画面の表面を指やペンなどでタッチしたときに
その位置を感知し発信する機能である。このタッチパネル機能はその画面の表面を
タッチした場合、電気的変化または波動の変化を利用して、その位置を感知し発信
しうる機能である。その感知する手段としては、抵抗膜方式、静電容量方式、また
は赤外線方式などがある。
【０００７】
一方本発明における大型表示パネル［Ｂ］は、その画面にタッチパネル機能を有
している。この大型表示パネル［Ｂ］は前記携帯型通信端末［Ａ］に比べて、画面
サイズが大きく、多数の人によってその画面を共有することができるものであり、
通常液晶表示パネルが適している。その画面の大きさは、通常１２インチ以上、好
ましくは２０インチ以上、より好ましくは３０インチ以上であり、最大で約５０イ
ンチ程度のものを云う。
この大型表示パネル［Ｂ］の画面の表面にはタッチパネル機能を有している。
このタッチパネル機能は、その画面の表面をタッチしたときに、その位置を感知し
発信する機能である。このタッチパネル機能は、前記携帯型通信端末［Ａ］と同様
の機能である。つまり、このタッチパネル機能とは画面の表面をタッチした場合、
電気的変化または波動の変化を利用して、その位置を感知し発信しうる機能であ
る。この感知する手段としては、抵抗膜方式、静電容量方式または赤外線方式など
がある。
【０００８】
本発明のタッチパネル機能付き携帯型通信端末［Ａ］およびタッチパネル機能付
き大型表示パネル［Ｂ］の組合せシステムは、前記端末［Ａ］と前記パネル［Ｂ］
とが、前記端末［Ａ］から前記パネル［Ｂ］に映像情報、音声情報を電波信号とし
て発信して前記パネル［Ｂ］が受信し、および前記端末［Ａ］の画面タッチ情報と
前記パネル［Ｂ］の画面タッチ情報を互いに電波信号として発信し受信する機能を
有している。
具体的には、前記端末［Ａ］には、前記端末［Ａ］から電波信号として前記パネ
ル［Ｂ］に音声情報および映像情報を発信するための機能を有している。その上前
記端末［Ａ］には、前記端末［Ａ］から電波信号として前記パネル［Ｂ］に画面タ
ッチ情報を発信する機能を有している。端末［Ａ］には、前記パネル［Ｂ］の画面
タッチ情報を電波信号として受信する受信機能を有し、前記パネル［Ｂ］には、そ
のパネル［Ｂ］の画面タッチ情報を電波信号として発信する発信機能を有してい
る。
さらに前記パネル［Ｂ］には、前記端末［Ａ］の画面タッチ情報を電波信号とし
て受信する受信機能を有し、前記端末［Ａ］には、その端末［Ａ］の画面タッチ情
報を電波信号として発信するための発信機能を有している。
【０００９】
本発明のシステムは前記パネル［Ｂ］には、その画面タッチ情報を電波信号とし
て発信し、かつ前記端末［Ａ］の画面タッチ情報を電波信号として受信する機能を
搭載したものであることが好ましい。
また本発明のシステムは、前記端末［Ａ］がその画面タッチ情報を電波信号とし
て発信し、かつ前記パネル［Ｂ］の画面タッチ情報を電波信号として受信する機能
を搭載したものであることが好ましい。前記した画面タッチ情報の電波信号は、
２．４ＧＨｚ帯域の信号であることが望ましい。この２．４ＧＨｚ帯域の信号は、
１１ｃｈ（チャンネル）で構成され、前記端末［Ａ］と前記パネル［Ｂ］は、通常
１０ｍ（メートル）以内、好ましくは８ｍ（メートル）以内、より好ましくは３ｍ
（メートル）以内の距離の間隔で使用される。